(57)【要約】  ＲＦワイヤレスセンサインターフェース（２０）は、１つ又は複数の様々なセンサ（１２，１３）をＲＦワイヤレスネットワーク（１１）に接続する。インターフェース（２０）の電力コンバータ（３０）は、一次電力（ＰPRM）をＤＣ電力（ＰDC）に変換し、センサ（１２，１３）に供給する。インターフェース（２０）のマイクロコントローラ（６０）は、電力コンバータ（３０）からＤＣ電力（ＰDC）を受けるセンサ（１２，１３）に応答して、センサ（１２，１３）からセンサ検出情報（ＳＤＩ）を受ける。インターフェース（２０）のＲＦトランスミッタ／トランシーバ（５０）は、センサ検出情報（ＳＤＩ）を受けたマイクロコントローラ（６０）に応答して、センサ検出情報のＲＦ送信（ＳＤＩRF）、及び／又は、ＲＦワイヤレスネットワーク（１１）へのセンサ制御信号のＲＦ送信（ＳＣＳRF）を実行する。電力コンバータ（３０）と、マイクロコントローラ（６０）と、ＲＦトランスミッタ／トランシーバ（５０）とは、モジュールハウジング（８０）の内部に配置されている。【選択図】図１
2009517896.tif 000002
【特許請求の範囲】
【請求項１】
さまざまなセンサ（１２，１３）をＲＦワイヤレスネットワーク（１１）に接続するためのＲＦワイヤレスセンサインターフェース（２０）であって、
一次電力（ＰPRM）をＤＣ電力（ＰDC）に変換し、このＤＣ電力（ＰDC）をさまざまなセンサ（１２，１３）の少なくとも１つに供給するように作動可能な電力コンバータ（３０）と、
前記さまざまなセンサ（１２，１３）の少なくとも１つが電力コンバータ（３０）からＤＣ電力（ＰDC）を受けることに応答して、前記さまざまなセンサ（１２，１３）の少なくとも１つからセンサ検出情報（ＳＤＩ）を受けるように作動可能なマイクロコントローラ（６０）と、
マイクロコントローラ（６０）がセンサ検出情報（ＳＤＩ）を受けることに応答して、ＲＦワイヤレスネットワーク（１１）へのセンサ検出情報のＲＦ送信（ＳＤＩRF）及びセンサ制御信号のＲＦ送信（ＳＣＳRF）のうち少なくとも１つを実行するように作動可能なＲＦトランスミッタ／トランシーバ（５０）と、
モジュールハウジング（８０）であって、ＲＦワイヤレスセンサインターフェース（２０）へのさまざまなセンサ（１２，１３）の結合を容易にするように、電力コンバータ（３０），マイクロコントローラ（６０）及びＲＦトランスミッタ／トランシーバ（５０）が、モジュールハウジング（８０）の内部に配置されている、上記モジュールハウジングと、
を備えていることを特徴とするＲＦワイヤレスセンサインターフェース。
【請求項２】
マイクロコントローラ（６０）はさらに、マイクロコントローラ（６０）がセンサ検出情報（ＳＤＩ）を受けることに応答して、インターフェース被制御装置（１４）へのインターフェース制御信号のリレー（ＩＣＳRL）を実行することを特徴とする請求項１に記載のＲＦワイヤレスセンサインターフェース。
【請求項３】
マイクロコントローラ（６０）はさらに、ＲＦトランスミッタ／トランシーバ（５０）がＲＦワイヤレスネットワーク（１１）から装置制御情報のＲＦ送信（ＤＣＩRF）を受けることに応答して、インターフェース被制御装置（１４）へのインターフェース制御信号のリレー（ＩＣＳRL）を実行することを特徴とする請求項１に記載のＲＦワイヤレスセンサインターフェース。
【請求項４】
マイクロコントローラ（６０）は、ＲＦワイヤレスネットワーク（１１）に関連したＲＦ通信プロトコルに従って、ＲＦトランスミッタ／トランシーバ（５０）によるＲＦワイヤレスネットワーク（１１）へのセンサ検出情報のＲＦ送信（ＳＤＩRF）及びセンサ制御信号のＲＦ送信（ＳＣＳRF）のうち少なくとも１つのマイクロコントローラ（６０）による制御を作動可能なネットワークスタック（６１）を含むことを特徴とする請求項１に記載のＲＦワイヤレスセンサインターフェース。
【請求項５】
マイクロコントローラ（６０）は、ＲＦワイヤレスネットワーク（１１）のネットワークアプリケーションに応じたセンサ制御信号、及び、インターフェース被制御装置（１１）のリレーアプリケーションに応じたインターフェース制御信号のうち少なくとも１つを発生させるように作動可能なアプリケーションマネージャ（６２）を含むことを特徴とする請求項１に記載のＲＦワイヤレスセンサインターフェース。
【請求項６】
一次電力（ＰPRM）は、幹線ＡＣ電力であることを特徴とする請求項１に記載のＲＦワイヤレスセンサインターフェース。
【請求項７】
ＲＦワイヤレスネットワーク（１１）は、ワイヤレス照明制御ネットワーク（９０）であることを特徴とする請求項１に記載のＲＦワイヤレスセンサインターフェース。
【請求項８】
ＲＦワイヤレスネットワーク（１１）は、ワイヤレスビルディング自動化ネットワークであることを特徴とする請求項１に記載のＲＦワイヤレスセンサインターフェース。
【請求項９】
さまざまなセンサ（１２，１３）は、昼光アナログセンサ（１００）を含むことを特徴とする請求項１に記載のＲＦワイヤレスセンサインターフェース。
【請求項１０】
さまざまなセンサ（１２，１３）は、占有デジタルセンサ（１１０）を含むことを特徴とする請求項１に記載のＲＦワイヤレスセンサインターフェース。
【請求項１１】
ＲＦワイヤレス検出システムであって、
少なくとも１つのさまざまなセンサ（１２，１３）と、
ＲＦワイヤレスセンサインターフェース（２０）と、を備え、
ＲＦワイヤレスセンサインターフェース（２０）が、
一次電力（ＰPRM）をＤＣ電力（ＰDC）に変換し、このＤＣ電力（ＰDC）をさまざまなセンサ（１２，１３）の少なくとも１つに供給するように作動可能な電力コンバータ（３０）と、
前記さまざまなセンサ（１２，１３）の少なくとも１つが電力コンバータ（３０）からＤＣ電力（ＰDC）を受けることに応答して、前記さまざまなセンサ（１２，１３）の少なくとも１つからセンサ検出情報（ＳＤＩ）を受けるように作動可能なマイクロコントローラ（６０）と、
マイクロコントローラ（６０）がセンサ検出情報（ＳＤＩ）を受けることに応答して、ＲＦワイヤレスネットワーク（１１）へのセンサ検出情報のＲＦ送信（ＳＤＩRF）及びセンサ制御信号のＲＦ送信（ＳＣＳRF）のうち少なくとも１つを実行するように作動可能なＲＦトランスミッタ／トランシーバ（５０）と、
モジュールハウジング（８０）であって、ＲＦワイヤレスセンサインターフェース（２０）へのさまざまなセンサ（１２，１３）の結合を容易にするように、電力コンバータ（３０），マイクロコントローラ（６０）及びＲＦトランスミッタ／トランシーバ（５０）が、モジュールハウジング（８０）の内部に配置されている、上記モジュールハウジングと、
を備えていることを特徴とするＲＦワイヤレス検出システム。
【請求項１２】
マイクロコントローラ（６０）はさらに、マイクロコントローラ（６０）がセンサ検出情報（ＳＤＩ）を受けることに応答して、インターフェース被制御装置（１４）へのインターフェース制御信号のリレー（ＩＣＳRL）を実行することを特徴とする請求項１１に記載のＲＦワイヤレス検出システム。
【請求項１３】
マイクロコントローラ（６０）はさらに、ＲＦトランスミッタ／トランシーバ（５０）がＲＦワイヤレスネットワーク（１１）から装置制御情報のＲＦ送信（ＤＣＩRF）を受けることに応答して、インターフェース被制御装置（１４）へのインターフェース制御信号のリレー（ＩＣＳRL）を実行することを特徴とする請求項１１に記載のＲＦワイヤレス検出システム。
【請求項１４】
マイクロコントローラ（６０）は、ＲＦワイヤレスネットワーク（１１）に関連したＲＦ通信プロトコルに従って、ＲＦトランスミッタ／トランシーバ（５０）によるＲＦワイヤレスネットワーク（１１）へのセンサ検出情報のＲＦ送信（ＳＤＩRF）及びセンサ制御信号のＲＦ送信（ＳＣＳRF）のうち少なくとも１つのマイクロコントローラ（６０）による制御を作動可能なネットワークスタック（６１）を含むことを特徴とする請求項１１に記載のＲＦワイヤレス検出システム。
【請求項１５】
マイクロコントローラ（６０）は、ＲＦワイヤレスネットワーク（１１）のネットワークアプリケーションに応じたセンサ制御信号、及び、インターフェース被制御装置（１１）のリレーアプリケーションに応じたインターフェース制御信号のうち少なくとも１つを発生させるように作動可能なアプリケーションマネージャ（６２）を含むことを特徴とする請求項１１に記載のＲＦワイヤレス検出システム。
【請求項１６】
一次電力（ＰPRM）は、幹線ＡＣ電力であることを特徴とする請求項１１に記載のＲＦワイヤレス検出システム。
【請求項１７】
ＲＦワイヤレスネットワーク（１１）は、ワイヤレス照明制御ネットワーク（９０）であることを特徴とする請求項１１に記載のＲＦワイヤレス検出システム。
【請求項１８】
ＲＦワイヤレスネットワーク（１１）は、ワイヤレスビルディング自動化ネットワークであることを特徴とする請求項１１に記載のＲＦワイヤレス検出システム。
【請求項１９】
さまざまなセンサ（１２，１３）は、昼光アナログセンサ（１００）を含むことを特徴とする請求項１１に記載のＲＦワイヤレス検出システム。
【請求項２０】
さまざまなセンサ（１２，１３）は、占有デジタルセンサ（１１０）を含むことを特徴とする請求項１１に記載のＲＦワイヤレス検出システム。
【発明の詳細な説明】
【技術分野】
【０００１】
本発明は、一般的に、ラジオ周波数（“ＲＦ”）のワイヤレスネットワークの動作に必要な、センサ検出情報を提供するためのさまざまなセンサに関する。本発明は、特に、さまざまなセンサを、ＲＦワイヤレスネットワークに、普遍的に接続することに関する。
【背景技術】
【０００２】
センサ（例えば、光センサ及び占有センサ）は、照明制御システムにおいて広く使用され、システムの光出力とエネルギー消費とを最適化している。照明制御システムにおいてセンサを実装する１つの伝統的な方法は、センサの出力を、ランプのオン／オフのスイッチを制御するリレーに関連付けることである。例えば、占有センサが室内に占有者が居ないことを検出するならば、センサ制御信号を出力して、ランプをスイッチオフするようにリレーに影響する。
【発明の開示】
【発明が解決しようとする課題】
【０００３】
照明制御システムが、ＲＦワイヤレス照明制御システムであるならば、センサ出力はＲＦ信号として送信される。この場合、センサは、ＲＦ通信インターフェースを必要とする。センサにＲＦ通信インターフェースを追加する従来の方法は、かかる個々のセンサのタイプ用に特定の回路モジュールをデザインすることである。このアプローチの不都合は、さまざまなセンサが照明制御システムとＲＦ接続されるとき、それぞれの個々のセンサのタイプ用に異なる回路モジュールをデザインすることが必要なことである。
【課題を解決するための手段】
【０００４】
本発明は、この不都合を解決するために、それぞれの特定のタイプのセンサ用に、特定のＲＦセンサインターフェースをデザインする必要無しに、さまざまなセンサをＲＦワイヤレスネットワークに接続するための新規で固有なＲＦワイヤレスセンサインターフェースを提供する。本発明の１つの形態においては、ＲＦワイヤレスセンサインターフェースは、電力コンバータと、マイクロコントローラと、ＲＦトランスミッタ／トランシーバと、モジュールハウジングとを使用する。電力コンバータは、一次電力を入力し、ＤＣ電力に変換し、センサにＤＣ電力を供給する。マイクロコントローラは、電力コンバータからＤＣ電力を受けたセンサに応答して、センサからセンサ検出情報を受ける。ＲＦトランスミッタ／トランシーバは、センサ検出情報を受けたマイクロコントローラに応答して、ＲＦワイヤレスネットワークへ、センサ検出情報のＲＦ送信、及び／又は、センサ制御信号のＲＦ送信を実行する。電力コンバータと、マイクロコントローラと、ＲＦトランスミッタ／トランシーバは、モジュールハウジングの内部に配置され、さまざまなセンサをＲＦワイヤレスセンサインターフェースに機能的に接続するのを容易にしている。
【０００５】
本発明の前述した形態及びその他の形態、並びに、本発明のさまざまな特徴及び利点については、添付図面と併せて、以下の本発明のさまざまな実施形態の詳細な説明から、さらに明らかになる。詳細な説明及び図面は、本発明の限定というよりもむしろ、単なる例示であって、本発明の範囲は、特許請求の範囲とその均等物によって定められる。
【発明を実施するための最良の形態】
【０００６】
図１に示した本発明による、ＲＦワイヤレスセンサインターフェース２０は、Ｘ個のアナログセンサ１２とＹ個のデジタルセンサ１３との形態からなるさまざまなセンサを、ＲＦワイヤレスネットワーク１１に接続するように構造的に構成されており、ここで、Ｘ≧０、Ｙ≧０、且つＸ＋Ｙ≧１になっている。変形例として又は同時的に、インターフェース２０は、Ｘ個のアナログセンサ１２と、Ｙ個のデジタルセンサ１３と、ＲＦワイヤレスネットワーク１１とを、Ｚ個のインターフェース被制御装置１４に接続するように構造的に構成されており、ここで、Ｚ≧１になっている。
【０００７】
本発明の目的のために、“アナログセンサ”という用語は、アナログ形式のセンサ検出情報を出力する任意のセンサとして、広義に定義される。
【０００８】
“デジタルセンサ”という用語は、デジタル形式のセンサ検出情報を出力する任意のセンサとして、広義に定義される。
【０００９】
“センサ検出情報”という用語は、センサによる物理的な刺激（例えば、動き、光、及び熱）の検出に関連した任意のタイプのデータとして、広義に定義される。
【００１０】
“ＲＦワイヤレスネットワーク”という用語は、ＲＦベースの通信ネットワークプロトコルを実現する任意のネットワークとして、広義に定義される。
【００１１】
“インターフェース被制御装置”という用語は、センサ検出情報及び／又はインターフェース制御情報に基づいてＲＦワイヤレスセンサインターフェース２０によって制御されて、複数の動作状態（例えば、１つ又は複数の活性状態及び非活性状態）の中で切り換えられる任意の装置として、広義に定義される。
【００１２】
そして、“インターフェース制御情報”という用語は、インターフェース被制御装置の動作状態を制御するための任意のタイプのデータとして、広義に定義される。
【００１３】
動作に際しては、ＲＦワイヤレスセンサインターフェース２０は、任意のタイプ（ＡＣ又はＤＣ）の一次電源１０からの一次電力ＰPRMを、ＤＣ電力ＰDCに変換し、この電力を、インターフェース２０に配線を介して接続されているそれぞれのアナログセンサ１２に供給すると共に、インターフェース２０に配線を介して接続されているそれぞれのデジタルセンサ１３に供給する。それに応答して、それぞれのアナログセンサ１２は、アナログ形式のセンサ検出情報ＳＤＩAをインターフェース２０に提供し、それぞれのデジタルセンサ１３は、デジタル形式のセンサ検出情報ＳＤＩDをインターフェース２０に提供する。アナログセンサ１２の例は、昼光アナログセンサであって、０ボルト（すなわち、検出可能な最も高い光レベルの検出）から、１０ボルト（すなわち、検出可能な最も低い光レベルの検出）までの範囲で昼光指標の形式のセンサ検出情報を出力するように構造的に構成されている。デジタルセンサ１３の例は、占有デジタルセンサ（例えば、超音波、赤外線、及び／又は、音響）であって、占有されている場合の論理的ハイレベル“１”と、空きの場合の論理的ロウレベル“０”のいずれかに等しい占有指標の形式のセンサ検出情報を出力するように構造的に構成されている。
【００１４】
センサの１つからセンサ検出情報を受けると、ＲＦワイヤレスセンサインターフェース２０は、ＲＦ送信モード又はリレーモードに応じて、センサ検出情報を処理する。ＲＦ送信モードにおいては、ＲＦワイヤレスセンサインターフェース２０は、ＲＦワイヤレスネットワーク１１のＲＦ通信ネットワークプロトコルに従って、センサ検出情報を処理し、それにより、ＲＦワイヤレスネットワーク１１へ、そのセンサ検出情報についてのセンサ検出情報のＲＦ送信ＳＤＩRFを実行し、それにより、ネットワーク１１はセンサ検出情報を利用して、ＲＦワイヤレスネットワーク１１の動作を制御する。変形例として又は同時的に、ＲＦワイヤレスセンサインターフェース２０はさらに、ネットワークアプリケーションに従って、センサ検出情報を処理し、それにより、ＲＦワイヤレスネットワーク１１へ、センサ制御信号のＲＦ送信ＳＣＳRFを実行し、それにより、ＲＦワイヤレスネットワーク１１は、センサ制御信号に応答して、センサ検出情報に基づいて、ＲＦワイヤレスネットワーク１１における１つ又は複数のネットワーク装置の動作状態を制御する。
【００１５】
リレーモードにおいては、ＲＦワイヤレスセンサインターフェース２０はさらに、リレーアプリケーションに従って、センサ検出情報を処理し、それにより、１つ又は複数のインターフェース被制御装置１４に、インターフェース制御信号のリレー（中継）ＩＣＳRLを実行し、それにより、インターフェース被制御装置１４は、インターフェース制御信号に応答して、センサ検出情報に基づいて、動作状態間で切り換えられる。
【００１６】
ＲＦワイヤレスネットワーク１１から装置制御情報のＲＦ送信ＤＣＩRFを受けると、ＲＦワイヤレスインターフェース２０は、リレーアプリケーションに従って、装置制御情報を処理し、それにより、１つ又は複数のインターフェース被制御装置１４にインターフェース制御信号のリレーＩＣＳRLを実行し、それにより、インターフェース被制御装置１４は、インターフェース制御信号に応答して、ＲＦワイヤレスセンサインターフェース２０によってＲＦワイヤレスネットワーク１１から受けた装置制御情報に基づいて、動作状態間で切り換えられる。
【００１７】
１つの実施形態においては、ＲＦワイヤレスインターフェース２０は、リレーアプリケーションに従って、センサ検出情報及び装置制御情報を処理し、それにより、１つ又は複数のインターフェース被制御装置１４にインターフェース制御信号のリレーＩＣＳRLを実行し、それにより、インターフェース被制御装置１４は、インターフェース制御信号に応答して、センサ検出情報及び装置制御情報に基づいて、動作状態間で切り換えられる。
【００１８】
図２は、インターフェース２０（図１）の例示的な実施形態２１を示しており、光センサの形態である１つのアナログセンサ１２（図１）と占有センサの形態である１つのデジタルセンサ１３（図１）とを、ＲＦワイヤレス照明制御ネットワークの形態であるＲＦワイヤレスネットワーク１１（図１）とペインティングランプの形態である１つのインターフェース被制御装置１４（図１）とに接続する。図示の通り、電力コンバータ３０は、３本の電力リード線３１（例えば、ライン、ニュートラル、及びグラウンド）を有し、ＡＣ電源からＡＣ電力（例えば、幹線ＡＣ電力）を受けて、それにより、ＡＣ電力をＤＣ電力に変換する。
【００１９】
電力コンバータ３０はさらに、一対の出力電力リード線３２（例えば、＋２４ボルト及び２４ボルトの戻り）を有しており、ＤＣ電力を占有センサに提供し、占有センサは、これに応答して、デジタル形式のセンサ検出情報を、占有センサに接続されたセンサ制御入力線８１及びマイクロコントローラ６０に接続されたセンサ制御出力線８２を有するセンサ絶縁カプラ８０を介して、マイクロコントローラ６０に提供する。
【００２０】
電力コンバータ３０はさらに、一対の出力電力リード線３３を有し、光センサに接続された一対のセンサ制御線７１（例えば、ポジティブ制御及びネガティブ制御）を有するセンサ絶縁カプラ７０を介して、ＤＣ電力を光センサに提供し、光センサはこれに応答して、アナログ形式のセンサ検出情報を、マイクロコントローラ６０のアナログデジタルコンバータ（“ＡＤＣ”）６３に提供し、これは、ＡＤＣ６３に接続された一対のセンサ出力線７２を介して行われる。
【００２１】
また、電力コンバータ３０は、当業者が認識するように、ＲＦワイヤレスセンサインターフェース２１におけるその他の要素に給電する。
【００２２】
マイクロコントローラ６０は、アプリケーションマネージャ６２を採用し、必要に応じて、ネットワークアプリケーション及びリレーアプリケーションに従って、光センサからのセンサ検出情報を処理すると共に、ＲＦワイヤレスネットワーク１１から受けた装置制御情報を処理するように構造的に構成されている。マイクロコントローラ６０はさらに、ネットワークスタック６１を採用し、ＲＦワイヤレスネットワーク１１に関連したＲＦ通信ネットワークプロトコルに従って、ネットワーク１１に送信されるべきセンサ検出情報における任意の部分と任意の発生したセンサ制御信号とを処理するように、及び、ＲＦワイヤレスネットワーク１１に関連したＲＦ通信ネットワークプロトコルに従って、ＲＦワイヤレスネットワーク１１から受けた装置制御情報の任意の部分を処理するように構造的に構成されている。
【００２３】
ＲＦトランスミッタ／トランシーバ５０（すなわち、トランスミッタ又はトランシーバ）は、占有センサからセンサ検出情報を受けたことに応答してマイクロコントローラ６０によって制御されると、アンテナ４０を介して、ＲＦワイヤレスネットワーク１１に、そのセンサ検出情報についてのセンサ検出情報のＲＦ送信ＳＤＩRF（図１）を実行する。
【００２４】
ＲＦトランスミッタ／トランシーバ５０はさらに、光センサからセンサ検出情報を受けたことに応答してマイクロコントローラ６０によって制御されると、アンテナ４０を介して、ワイヤレスネットワーク１１に、そのセンサ制御信号についてのセンサ制御信号のＲＦ送信ＳＣＳRF（図１）を実行する。
【００２５】
ＲＦトランスミッタ／トランシーバ５０はさらに、アンテナ４０を介して、ＲＦワイヤレスネットワーク１１から装置制御情報についての装置制御信号のＲＦ受信ＤＣＩRF（図１）を実行する。
【００２６】
マイクロコントローラ６０は、センサの１つからのセンサ検出情報、及び／又は、ＲＦワイヤレスネットワーク１１からの装置制御情報を受けたことに応答して、インターフェース被制御装置１４に、一対のリレー線６４を介して、インターフェース制御信号のリレーＩＣＳRL（図１）を実行する。
【００２７】
電力コンバータ３０，ＲＦトランスミッタ／トランシーバ５０，マイクロコントローラ６０，カプラ７０及びカプラ８０は、占有センサ及び光センサをＲＦワイヤレスセンサインターフェース２１に接続するのを容易にするため、モジュールハウジング９０の内部に配置されている。
【００２８】
本発明の更なる理解を容易にするため、図３は部屋の両側で照明制御を採用しているオフィス空間を示しており、それぞれの照明制御は、昼光アナログセンサ１００及び占有デジタルセンサ１１０を採用しており、これらはＲＦワイヤレスセンサインターフェース２１を介して、ＲＦワイヤレスネットワークに接続されており、これは、４ランプ装置１５０を制御する安定器１４０を備えている。
【００２９】
動作に際しては、それぞれの昼光アナログセンサ１００は、前述したように、それに関連するＲＦワイヤレスセンサインターフェース２１によって給電され、それにより、関連する窓１２０を通して伝播する昼光の量を検出し、昼光指標の形式のセンサ検出情報を、それに関連するＲＦワイヤレスセンサインターフェース２１に提供する。次に、ＲＦワイヤレスセンサインターフェース２１は、アンテナ４０（図２）を介して、関連する安定器１４０に、その昼光指標についてのセンサ検出情報のＲＦ送信ＳＤＩRFを実行し、それにより、安定器１５０は、昼光指標に基づいて、ランプ装置１５０の調光レベルを制御することができる。
【００３０】
同様に、それぞれの占有デジタルセンサ１１０は、前述したように、その関連するＲＦワイヤレスセンサインターフェース２１によって給電され、それにより、オフィスのドア１３０を出入りする人に関連してオフィスの占有レベルを検出し、占有指標の形式のセンサ検出情報を、関連するＲＦワイヤレスセンサインターフェース２１に提供する。次に、ＲＦワイヤレスセンサインターフェース２１は、ネットワークアプリケーションに応じてセンサ制御信号を発生し、アンテナ４０を介して、関連する安定器１４０に、そのセンサ制御信号についてのセンサ制御信号のＲＦ送信ＳＣＳRFを実行し、それにより、安定器１４０及びランプ装置１５０は、センサ制御信号に基づいて、活性化され又は非活性化される。例えば、占有指標がオフィスの占有を表す場合、センサ制御信号は安定器１４０及びランプ装置１５０を活性化させる。さもなければ、占有指標がオフィスが空であることを表す場合、センサ制御信号は、安定器１４０及びランプ装置１５０を非活性化させる。
【００３１】
また、例えば、簡潔のため図３には示していないけれども、ＲＦワイヤレスセンサインターフェース２１の１つが、リレー線６４（図２）を介して、スタンドアロンのランプなどのインターフェース被制御装置に配線されてもよく、それにより、昼光指標が夜間であることを表し、かつ、占有指標がオフィスの占有を表す場合にランプが点灯され、また、昼光指標が昼間を表し、及び／又は、占有指標がオフィスが空であることを表した場合にランプが消灯される。
【００３２】
図１乃至図３を参照すると、当業者が理解するように、本発明の多数の利点には、限定はしないが、さまざまなセンサ（特に、既製のセンサ）を、ＲＦワイヤレスネットワークとのＲＦワイヤレス通信能力に併用することができる。
【００３３】
本願に開示された本発明の実施形態は、現時点において好ましいと考えられるけれども、本発明の精神及び範囲から逸脱せずに、さまざまな変更及び改変を施すことができる。本発明の範囲は、特許請求の範囲に示されており、均等物の意味及び範囲に含まれる変更は、それに包含されることを意図している。
【図面の簡単な説明】
【００３４】
【図１】本発明によるＲＦワイヤレスセンサインターフェースを示したブロック図である。
【図２】本発明の例示的な実施形態による、図１のＲＦワイヤレスセンサインターフェースを示したブロック図である。
【図３】本発明による、図２のＲＦワイヤレスセンサインターフェースの例示的なネットワークの接続を示した図である。
【符号の説明】
【００３５】
１０  一次電源
１１  ＲＦワイヤレスネットワーク
１２  アナログセンサ
１３  デジタルセンサ
１４  インターフェース被制御装置
２０，２１  ＲＦワイヤレスセンサインターフェース
３０  電力コンバータ
３１  電力リード線
３２，３３  出力電力リード線
４０  アンテナ
５０  ＲＦトランスミッタ／トランシーバ
６０  マイクロコントローラ
６１  ネットワークスタック
６２  アプリケーションマネージャ
６３  アナログデジタルコンバータ（ＡＤＣ）
６４  リレー線
７０  センサ絶縁カプラ
７１  センサ制御線
７２  センサ出力線
８０  センサ絶縁カプラ
８１  センサ制御入力線
８２  センサ制御出力線
９０  モジュールハウジング
１００  昼光アナログセンサ
１１０  占有デジタルセンサ
１２０  窓
１３０  ドア
１４０  安定器
１５０  ランプ装置
【図１】
2009517896.tif 000003
【図２】
2009517896.tif 000004
【図３】
2009517896.tif 000005
【国際調査報告】
2009517896.tif 000006
2009517896.tif 000007
2009517896.tif 000008